(57)【特許請求の範囲】
【請求項１】
テーブル席部（２）と間仕切り装置（３）から構成され、
テーブル席部（２）は、テーブル用スペース群（４）とテーブルセット群（５）から構成され、
テーブル用スペース群（４）は、所定幅と長さをもって形成された間仕切り装置用スペース（４Ａ）を中心に、左前方のスペース部（４Ｂ）と、左中央のスペース部（４Ｃ）と、左後方のスペース部（４Ｄ）と、右前方のスペース部（４Ｅ）と、右中央のスペース部（４Ｆ）と、右後方のスペース部（４Ｇ）から構成され、
テーブルセット群（５）は、各スペース部（４Ｂ、４Ｃ、４Ｄ、４Ｅ、４Ｆ、４Ｇ）内にそれぞれ設けられた左前方のテーブルセット（５Ａ）、左中央のテーブルセット（５Ｂ）、左後方のテーブルセット（５Ｃ）、右前方のテーブルセット（５Ｄ）、右中央のテーブルセット（５Ｅ）、右後方のテーブルセット（５Ｆ）から構成され、
左前方のテーブルセット（５Ａ）は、中央に設けられたテーブル（５Ａ１）と、このテーブルを中心に設けられた前方の椅子（５Ａ２）と後方の椅子（５Ａ３）から構成され、左中央のテーブルセット（５Ｂ）は、中央に設けられたテーブル（５Ｂ１）と、このテーブルを中心に設けられた前方の椅子（５Ｂ２）と後方の椅子（５Ｂ３）から構成され、左後方のテーブルセット（５Ｃ）は、中央に設けられたテーブル（５Ｃ１）と、このテーブルを中心に設けられた前方の椅子（５Ｃ２）と後方の椅子（５Ｃ３）から構成され、右前方のテーブルセット（５Ｄ）は、中央に設けられたテーブル（５Ｄ１）と、このテーブルを中心に設けられた前方の椅子（５Ｄ２）と後方の椅子（５Ｄ３）から構成され、右中央のテーブルセット（５Ｅ）は、中央に設けられたテーブル（５Ｅ１）と、このテーブルを中心に設けられた前方の椅子（５Ｅ２）と後方の椅子（５Ｅ３）から構成され、右後方のテーブルセット（５Ｆ）は、中央に設けられたテーブル（５Ｆ１）と、このテーブルを中心に設けられた前方の椅子（５Ｆ２）と後方の椅子（５Ｆ３）から構成され、上記椅子のうち、左前方のテーブルセット（５Ａ）の後方の椅子（５Ａ３）と、右前方のテーブルセット（５Ｄ）の後方の椅子（５Ｄ３）は、ベンチ型椅子に構成され、両者間には座面間のふさぎ部（５Ｇ）が着脱自在に取付けられ、左後方のテーブルセット（５Ｃ）の前方の椅子（５Ｃ２）と、右後方のテーブルセット（５Ｆ）の前方の椅子（５Ｆ２）は、ベンチ型椅子に構成され、両者間には座面間のふさぎ部（５Ｇ）が着脱自在に取付けられ、
間仕切り装置（３）は、間仕切り装置用スペース（４Ａ）の上面に前後方向をもって敷設されたＶレール部（６）と、Ｖレール部の上面に前後方向をもって配設された中央間仕切り（７）と、前方間仕切り（８）と、後方間仕切り（９）と、中央、前方、後方の連結固定板部（１０、１０、１０）から構成され、
Ｖレール部（６）は、前後方向の中央Ｖレール（６Ａ）と、中央Ｖレールの左方に平行に設けられた左方Ｖレール（６Ｂ）と、中央Ｖレールの右方に平行に設けられた右方Ｖレール（６Ｃ）から構成され、
中央間仕切り（７）と前方間仕切り（８）と後方間仕切り（９）は、側面前後に長い方形の仕切り板（７Ａ、８Ａ、９Ａ）と、仕切り板の下面に前後位置をもって設けられたＶ型戸車（７Ｂ、８Ｂ、９Ｂ）と、仕切り板にテーブルセット群（５）におけるテーブル（５Ａ１、５Ｂ１、５Ｃ１、５Ｄ１、５Ｅ１、５Ｆ１）の支持高さに対応する位置をもって開設された側面前後に長い係止用窓（７Ｃ、８Ｃ、９Ｃ）と、これら係止用窓の下辺に突設された係止用突条（７Ｃ１、８Ｃ１、９Ｃ１）と、仕切り板（７Ａ、８Ａ、９Ａ）の左右面に係止用窓の下辺レベルをもって前後方向に添着された帯状のアクリル板（７Ｄ、８Ｄ、９Ｄ）から構成され、
中央間仕切り（７）は中央Ｖレール（６Ａ）の上面に、また、前方間仕切り（８）は右方Ｖレール（６Ｃ）の上面に、さらに後方間仕切り（９）は左方Ｖレール（６Ｂ）の上面にそれぞれ移動自在に載置され、
連結固定板部（１０）は、固定板本体（１０Ａ）と、左方テーブル側係止部（１０Ｂ）と、右方テーブル側係止部（１０Ｃ）から構成され、固定板本体（１０Ａ）は、平面前後に長い方形の基板（１０Ａ１）と、係止溝群（１０Ａ２）と、左方係止用段部（１０Ａ３）と、右方係止用段部（１０Ａ４）から構成され、係止溝群（１０Ａ２）は、基板の下面に前後方向をもって刻設された中央溝（Ｍ１）と、左方溝（Ｍ２）と、右方溝（Ｍ３）から構成され、これらの各溝は、中央間仕切り（７）の係止用突条（７Ｃ１）、後方間仕切り（９）の係止用突条（９Ｃ１）、前方間仕切り（８）の係止用突条（８Ｃ１）のいずれかに上方から着脱自在に嵌合するよう構成され、左方テーブル側係止部（１０Ｂ）は、テーブルセット群（５）におけるテーブル（５Ｂ１、５Ａ１、５Ｃ１）の右方辺の上面に、固定板本体（１０Ａ）の左方係止用段部（１０Ａ３）が係止するよう形成された段部として構成され、右方テーブル側係止部（１０Ｃ）は、テーブルセット群（５）におけるテーブル（５Ｅ１、５Ｄ１、５Ｆ１）の左方辺の下面に、固定板本体（１０Ａ）の右方係止用段部（１０Ａ４）が係止するよう形成された段部として構成され、
上記左前方のテーブルセット（５Ａ）の後方の椅子（５Ａ３）と、右前方のテーブルセット（５Ｄ）の後方の椅子（５Ｄ３）の間に座面間のふさぎ部（５Ｇ）が設けられ、上記左後方のテーブルセット（５Ｃ）の前方の椅子（５Ｃ２）と、右後方のテーブルセット（５Ｆ）の前方の椅子（５Ｆ２）間に座面間のふさぎ部（５Ｇ）が設けられ、
座面間のふさぎ部（５Ｇ）は、ふさぎ板（５Ｇ１）と、左方椅子側係止部（５Ｇ２）と、右方椅子側係止部（５Ｇ３）から構成され、ふさぎ板（５Ｇ１）は、平面前後に長い方形の基板（５Ｇ１１）と、左方係止用段部（５Ｇ１２）と、右方係止用段部（５Ｇ１３）から構成され、左方椅子側係止部（５Ｇ２）は、テーブルセット群（５）における後方の椅子（５Ａ３）と前方の椅子（５Ｃ２）における右方辺の上面に、ふさぎ板（５Ｇ１）の左方係止用段部（５Ｇ１２）が係止するよう形成された段部として構成され、右方椅子側係止部（５Ｇ３）は、テーブルセット群（５）における後方の椅子（５Ｄ３）と前方の椅子（５Ｆ２）における左方辺の上面に、ふさぎ板（５Ｇ１）の右方係止用段部（５Ｇ１３）が係止するよう形成された段部として構成されていることを特徴とするテーブル席用可動式間仕切り装置。
【請求項２】
請求項１記載のテーブル席用可動式間仕切り装置（１）を用いて下記の各工程から構成されていることを特徴とするテーブル席用可動式間仕切り装置の使用方法。
第１工程
左中央のテーブルセット（５Ｂ）と右中央のテーブルセット（５Ｅ）との間に、中央間仕切り（７）と、前方間仕切り（８）と、後方間仕切り（９）を重ねた状態で収納する。
第２工程
重ねた状態の中央間仕切り（７）と前方間仕切り（８）と後方間仕切り（９）における係止用窓（７Ｃ、８Ｃ、９Ｃ）に、連結固定板部（１０）における固定板本体（１０Ａ）を挿入し、これら間仕切りを固定し、左前方のテーブルセット（５Ａ）における後方の椅子（５Ａ３）と右前方のテーブルセット（５Ｄ）における後方の椅子（５Ｄ３）の間に、座面間のふさぎ部（５Ｇ）におけるふさぎ板（５Ｇ１）を嵌込み固定し、左後方のテーブルセット（５Ｃ）における前方の椅子（５Ｃ２）と右後方のテーブルセット（５Ｆ）における前方の椅子（５Ｆ２）の間に、座面間のふさぎ部（５Ｇ）におけるふさぎ板（５Ｇ１）を嵌込み固定する。
【請求項３】
請求項１記載のテーブル席用可動式間仕切り装置（１）を用いて下記の各工程から構成されていることを特徴とするテーブル席用可動式間仕切り装置の使用方法。
第１工程
左中央のテーブルセット（５Ｂ）と右中央のテーブルセット（５Ｅ）との間に、中央間仕切り（７）を位置せしめ、左前方のテーブルセット（５Ａ）と右前方のテーブルセット（５Ｄ）との間に、前方間仕切り（８）を位置せしめ、左後方のテーブルセット（５Ｃ）と右後方のテーブルセット（５Ｆ）との間に、後方間仕切り（９）を位置せしめる。
第２工程
それぞれの係止用窓（７Ｃ、８Ｃ、９Ｃ）に各連結固定板部（１０）における固定板本体（１０Ａ）を挿入し、各間仕切りを固定する。
【発明の詳細な説明】
【０００１】
【発明の属する技術分野】
本発明は、テーブル席用可動式間仕切り装置とテーブル席用可動式間仕切り装置の使用方法に関するものである。
【０００２】
【従来の技術】
図２３を参照して、従来提供されているテーブル席１１は、下記のような構成となっている。
４人用のスペースを設けたテーブル席の場合で説明する。
平面方形に構成されたテーブル席用スペースの中央を縦間仕切り１１Ａにより２等分した左方、右方のスペースを作り、これらに左方前方のテーブルセット１１Ｂ、左方中央のテーブルセット１１Ｃ、左方後方のテーブルセット１１Ｄと、右方前方のテーブルセット１１Ｅ、右方中央のテーブルセット１１Ｆ、右方後方のテーブルセット１１Ｇが配設されている。
【０００３】
【発明が解決しようとする課題】
従来の技術で述べたものにあっては、下記のような問題点を有していた。
１．店舗のスペースが狭い場合、８名席を作ることが困難であった。
２．間仕切りは、人手で持ち上げて移動するため使いづらかった。
３．来客数の変動に対応できない場合がある。
４．来客数にすぐに対応できない場合、待機してもらわなければならず、時間と空間を余計に使う。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明は下記のようになるものである。
【０００６】
請求項１記載の発明は、テーブル席部２と間仕切り装置３から構成され、
テーブル席部２は、テーブル用スペース群４とテーブルセット群５から構成され、
テーブル用スペース群４は、所定幅と長さをもって形成された間仕切り装置用スペース４Ａを中心に、左前方のスペース部４Ｂと、左中央のスペース部４Ｃと、左後方のスペース部４Ｄと、右前方のスペース部４Ｅと、右中央のスペース部４Ｆと、右後方のスペース部４Ｇから構成され、
テーブルセット群５は、各スペース部４Ｂ、４Ｃ、４Ｄ、４Ｅ、４Ｆ、４Ｇ内にそれぞれ設けられた左前方のテーブルセット５Ａ、左中央のテーブルセット５Ｂ、左後方のテーブルセット５Ｃ、右前方のテーブルセット５Ｄ、右中央のテーブルセット５Ｅ、右後方のテーブルセット５Ｆから構成され、
左前方のテーブルセット５Ａは、中央に設けられたテーブル５Ａ１と、このテーブルを中心に設けられた前方の椅子５Ａ２と後方の椅子５Ａ３から構成され、左中央のテーブルセット５Ｂは、中央に設けられたテーブル５Ｂ１と、このテーブルを中心に設けられた前方の椅子５Ｂ２と後方の椅子５Ｂ３から構成され、左後方のテーブルセット５Ｃは、中央に設けられたテーブル５Ｃ１と、このテーブルを中心に設けられた前方の椅子５Ｃ２と後方の椅子５Ｃ３から構成され、右前方のテーブルセット５Ｄは、中央に設けられたテーブル５Ｄ１と、このテーブルを中心に設けられた前方の椅子５Ｄ２と後方の椅子５Ｄ３から構成され、右中央のテーブルセット５Ｅは、中央に設けられたテーブル５Ｅ１と、このテーブルを中心に設けられた前方の椅子５Ｅ２と後方の椅子５Ｅ３から構成され、右後方のテーブルセット５Ｆは、中央に設けられたテーブル５Ｆ１と、このテーブルを中心に設けられた前方の椅子５Ｆ２と後方の椅子５Ｆ３から構成され、上記椅子のうち、左前方のテーブルセット５Ａの後方の椅子５Ａ３と、右前方のテーブルセット５Ｄの後方の椅子５Ｄ３は、ベンチ型椅子に構成され、両者間には座面間のふさぎ部５Ｇが着脱自在に取付けられ、左後方のテーブルセット５Ｃの前方の椅子５Ｃ２と、右後方のテーブルセット５Ｆの前方の椅子５Ｆ２は、ベンチ型椅子に構成され、両者間には座面間のふさぎ部５Ｇが着脱自在に取付けられ、
【０００７】
間仕切り装置３は、間仕切り装置用スペース４Ａの上面に前後方向をもって敷設されたＶレール部６と、Ｖレール部の上面に前後方向をもって配設された中央間仕切り７と、前方間仕切り８と、後方間仕切り９と、中央、前方、後方の連結固定板部１０、１０、１０から構成され、
Ｖレール部６は、前後方向の中央Ｖレール６Ａと、中央Ｖレールの左方に平行に設けられた左方Ｖレール６Ｂと、中央Ｖレールの右方に平行に設けられた右方Ｖレール６Ｃから構成され、
中央間仕切り７と前方間仕切り８と後方間仕切り９は、側面前後に長い方形の仕切り板７Ａ、８Ａ、９Ａと、仕切り板の下面に前後位置をもって設けられたＶ型戸車７Ｂ、８Ｂ、９Ｂと、仕切り板にテーブルセット群５におけるテーブル５Ａ１、５Ｂ１、５Ｃ１、５Ｄ１、５Ｅ１、５Ｆ１の支持高さに対応する位置をもって開設された側面前後に長い係止用窓７Ｃ、８Ｃ、９Ｃと、これら係止用窓の下辺に突設された係止用突条７Ｃ１、８Ｃ１、９Ｃ１と、仕切り板７Ａ、８Ａ、９Ａの左右面に係止用窓の下辺レベルをもって前後方向に添着された帯状のアクリル板７Ｄ、８Ｄ、９Ｄから構成され、
中央間仕切り７は中央Ｖレール６Ａの上面に、また、前方間仕切り８は右方Ｖレール６Ｃの上面に、さらに後方間仕切り９は左方Ｖレール６Ｂの上面にそれぞれ移動自在に載置され、
【０００８】
連結固定板部１０は、固定板本体１０Ａと、左方テーブル側係止部１０Ｂと、右方テーブル側係止部１０Ｃから構成され、
固定板本体１０Ａは、平面前後に長い方形の基板１０Ａ１と、係止溝群１０Ａ２と、左方係止用段部１０Ａ３と、右方係止用段部１０Ａ４から構成され、係止溝群１０Ａ２は、基板の下面に前後方向をもって刻設された中央溝Ｍ１と、左方溝Ｍ２と、右方溝Ｍ３から構成され、これらの各溝は、中央間仕切り７の係止用突条７Ｃ１、後方間仕切り９の係止用突条９Ｃ１、前方間仕切り８の係止用突条８Ｃ１のいずれかに上方から着脱自在に嵌合するよう構成され、左方テーブル側係止部１０Ｂは、テーブルセット群５におけるテーブル５Ｂ１、５Ａ１、５Ｃ１の右方辺の上面に、固定板本体１０Ａの左方係止用段部１０Ａ３が係止するよう形成された段部として構成され、右方テーブル側係止部１０Ｃは、テーブルセット群５におけるテーブル５Ｅ１、５Ｄ１、５Ｆ１の左方辺の下面に、固定板本体１０Ａの右方係止用段部１０Ａ４が係止するよう形成された段部として構成され、
上記左前方のテーブルセット５Ａの後方の椅子５Ａ３と、右前方のテーブルセット５Ｄの後方の椅子５Ｄ３の間に座面間のふさぎ部５Ｇが設けられ、上記左後方のテーブルセット５Ｃの前方の椅子５Ｃ２と、右後方のテーブルセット５Ｆの前方の椅子５Ｆ２間に座面間のふさぎ部５Ｇが設けられ、
座面間のふさぎ部５Ｇは、ふさぎ板５Ｇ１と、左方椅子側係止部５Ｇ２と、右方椅子側係止部５Ｇ３から構成され、ふさぎ板５Ｇ１は、平面前後に長い方形の基板５Ｇ１１と、左方係止用段部５Ｇ１２と、右方係止用段部５Ｇ１３から構成され、左方椅子側係止部５Ｇ２は、テーブルセット群５における後方の椅子５Ａ３と前方の椅子５Ｃ２における右方辺の上面に、ふさぎ板５Ｇ１の左方係止用段部５Ｇ１２が係止するよう形成された段部として構成され、右方椅子側係止部５Ｇ３は、テーブルセット群５における後方の椅子５Ｄ３と前方の椅子５Ｆ２における左方辺の上面に、ふさぎ板５Ｇ１の右方係止用段部５Ｇ１３が係止するよう形成された段部として構成されていることを特徴とする。
【０００９】
請求項２記載の発明は、請求項１記載の発明を用いて下記の各工程から構成されていることを特徴とする。
第１工程
左中央のテーブルセット５Ｂと右中央のテーブルセット５Ｅとの間に、中央間仕切り７と、前方間仕切り８と、後方間仕切り９を重ねた状態で収納する。
第２工程
重ねた状態の中央間仕切り７と前方間仕切り８と後方間仕切り９における係止用窓７Ｃ、８Ｃ、９Ｃに、連結固定板部１０における固定板本体１０Ａを挿入し、これら間仕切りを固定し、左前方のテーブルセット５Ａにおける後方の椅子５Ａ３と右前方のテーブルセット５Ｄにおける後方の椅子５Ｄ３の間に、座面間のふさぎ部５Ｇにおけるふさぎ板５Ｇ１を嵌込み固定し、左後方のテーブルセット５Ｃにおける前方の椅子５Ｃ２と右後方のテーブルセット５Ｆにおける前方の椅子５Ｆ２の間に、座面間のふさぎ部５Ｇにおけるふさぎ板５Ｇ１を嵌込み固定する。
【００１０】
請求項３記載の発明は、請求項１記載の発明を用いて下記の各工程から構成されていることを特徴とする。
第１工程
左中央のテーブルセット５Ｂと右中央のテーブルセット５Ｅとの間に、中央間仕切り７を位置せしめ、左前方のテーブルセット５Ａと右前方のテーブルセット５Ｄとの間に、前方間仕切り８を位置せしめ、左後方のテーブルセット５Ｃと右後方のテーブルセット５Ｆとの間に、後方間仕切り９を位置せしめる。
第２工程
それぞれの係止用窓７Ｃ、８Ｃ、９Ｃに各連結固定板部１０における固定板本体１０Ａを挿入し、各間仕切りを固定する。
【００１１】
【発明の実施の形態】
以下、本発明の実施の形態を実施例にもとづき図面を参照して説明する。
１は第１発明のテーブル席用可動式間仕切り装置である。
テーブル席部２と間仕切り装置３から構成されている。
なお、テーブルセットには、１人と１人が向かい合う場合、２人と２人が向かい合う場合、３人と３人が向かい合う場合、４人と４人が向かい合う場合など多種類のものがあるが、以下は２人と２人が向かい合う場合（４名用テーブルセット）を例にして説明する。
【００１２】
テーブル席部２は、テーブル用スペース群４とテーブルセット群５から構成されている。
Ａ．テーブル用スペース群４は、所定幅と長さをもって形成された間仕切り装置用スペース４Ａを中心に、左前方のスペース部４Ｂと、左中央のスペース部４Ｃと、左後方のスペース部４Ｄと、右前方のスペース部４Ｅと、右中央のスペース部４Ｆと、右後方のスペース部４Ｇから構成されている。
【００１３】
Ｂ．テーブルセット群５は、各スペース部４Ｂ、４Ｃ、４Ｄ、４Ｅ、４Ｆ、４Ｇ内にそれぞれ設けられた左前方のテーブルセット５Ａ、左中央のテーブルセット５Ｂ、左後方のテーブルセット５Ｃ、右前方のテーブルセット５Ｄ、右中央のテーブルセット５Ｅ、右後方のテーブルセット５Ｆから構成されている。
ａ．左前方のテーブルセット５Ａは、中央に設けられたテーブル５Ａ１と、このテーブルを中心に設けられた前方の椅子５Ａ２と後方の椅子５Ａ３から構成されている。
ｂ．左中央のテーブルセット５Ｂは、中央に設けられたテーブル５Ｂ１と、このテーブルを中心に設けられた前方の椅子５Ｂ２と後方の椅子５Ｂ３から構成されている。
ｃ．左後方のテーブルセット５Ｃは、中央に設けられたテーブル５Ｃ１と、このテーブルを中心に設けられた前方の椅子５Ｃ２と後方の椅子５Ｃ３から構成されている。
ｄ．右前方のテーブルセット５Ｄは、中央に設けられたテーブル５Ｄ１と、このテーブルを中心に設けられた前方の椅子５Ｄ２と後方の椅子５Ｄ３から構成されている。
ｅ．右中央のテーブルセット５Ｅは、中央に設けられたテーブル５Ｅ１と、このテーブルを中心に設けられた前方の椅子５Ｅ２と後方の椅子５Ｅ３から構成されている。
【００１４】
ｆ．右後方のテーブルセット５Ｆは、中央に設けられたテーブル５Ｆ１と、このテーブルを中心に設けられた前方の椅子５Ｆ２と後方の椅子５Ｆ３から構成されている。
ｇ．上記椅子のうち、左前方のテーブルセット５Ａの後方の椅子５Ａ３と、右前方のテーブルセット５Ｄの後方の椅子５Ｄ３は、ベンチ型椅子に構成され、両者間には座面間のふさぎ部５Ｇが着脱自在に取付けられている。
左後方のテーブルセット５Ｃの前方の椅子５Ｃ２と、右後方のテーブルセット５Ｆの前方の椅子５Ｆ２は、ベンチ型椅子に構成され、両者間には座面間のふさぎ部５Ｇが着脱自在に取付けられている。
【００１５】
間仕切り装置３は、間仕切り装置用スペース４Ａの上面に前後方向をもって敷設されたＶレール部６と、Ｖレール部の上面に前後方向をもって配設された中央間仕切り７と、前方間仕切り８と、後方間仕切り９と、中央、前方、後方の連結固定板部１０、１０、１０から構成されている。
Ａ．Ｖレール部６は、前後方向の中央Ｖレール６Ａと、中央Ｖレールの左方に平行に設けられた左方Ｖレール６Ｂと、中央Ｖレールの右方に平行に設けられた右方Ｖレール６Ｃから構成されている。
【００１６】
Ｂ．中央間仕切り７と前方間仕切り８と後方間仕切り９は、側面前後に長い方形の仕切り板７Ａ、８Ａ、９Ａと、仕切り板の下面に前後位置をもって設けられたＶ型戸車７Ｂ、８Ｂ、９Ｂと、仕切り板にテーブルセット群５におけるテーブル５Ａ１、５Ｂ１、５Ｃ１、５Ｄ１、５Ｅ１、５Ｆ１の支持高さに対応する位置をもって開設された側面前後に長い係止用窓７Ｃ、８Ｃ、９Ｃと、これら係止用窓の下辺に突設された係止用突条７Ｃ１、８Ｃ１、９Ｃ１と、仕切り板７Ａ、８Ａ、９Ａの左右面に係止用窓の下辺レベルをもって前後方向に添着された帯状のアクリル板７Ｄ、８Ｄ、９Ｄから構成されている。
このアクリル板７Ｄ、８Ｄ、９Ｄは、隣接する仕切り板同士の接触による摩耗を防ぐためのものである。
なお、７Ｅ、８Ｅ、９Ｅは、仕切り板７Ａ、８Ａ、９Ａの上辺中央に取付けられたガラス面である。
７Ｆ、８Ｆ、９Ｆは、仕切り板７Ａ、８Ａ、９Ａの左右面における下辺に前後方向をもって添着された帯状のアクリル板である。
このアクリル板７Ｆ、８Ｆ、９Ｆは、Ｖ型戸車の状態を透視するためのものである。
【００１７】
Ｃ．中央間仕切り７は中央Ｖレール６Ａの上面に、また、前方間仕切り８は右方Ｖレール６Ｃの上面に、さらに後方間仕切り９は左方Ｖレール６Ｂの上面にそれぞれ移動自在に載置されている。
【００１８】
Ｄ．連結固定板部１０は、固定板本体１０Ａと、左方テーブル側係止部１０Ｂと、右方テーブル側係止部１０Ｃから構成されている。（図９〜図１７参照）
ａ．固定板本体１０Ａは、平面前後に長い方形の基板１０Ａ１と、係止溝群１０Ａ２と、左方係止用段部１０Ａ３と、右方係止用段部１０Ａ４から構成されている。
係止溝群１０Ａ２は、基板の下面に前後方向をもって刻設された中央溝Ｍ１と、左方溝Ｍ２と、右方溝Ｍ３から構成され、これらの各溝は、中央間仕切り７の係止用突条７Ｃ１、後方間仕切り９の係止用突条９Ｃ１、前方間仕切り８の係止用突条８Ｃ１のいずれかに上方から着脱自在に嵌合するよう構成されている。
ｂ．左方テーブル側係止部１０Ｂは、テーブルセット群５におけるテーブル５Ｂ１、５Ａ１、５Ｃ１の右方辺の上面に、固定板本体１０Ａの左方係止用段部１０Ａ３が係止するよう形成された段部として構成されている。
なお、固定板本体１０Ａとテーブル５Ｂ１、５Ａ１、５Ｃ１との間にはロック金物Ｒが設けられている。
ｃ．右方テーブル側係止部１０Ｃは、テーブルセット群５におけるテーブル５Ｅ１、５Ｄ１、５Ｆ１の左方辺の下面に、固定板本体１０Ａの右方係止用段部１０Ａ４が係止するよう形成された段部として構成されている。
なお、固定板本体１０Ａとテーブル５Ｅ１、５Ｄ１、５Ｆ１との間にはロック金物Ｒが設けられている。
【００１９】
上述した左前方のテーブルセット５Ａの後方の椅子５Ａ３と、右前方のテーブルセット５Ｄの後方の椅子５Ｄ３の間に設けられた座面間のふさぎ部５Ｇと、上述した左後方のテーブルセット５Ｃの前方の椅子５Ｃ２と、右後方のテーブルセット５Ｆの前方の椅子５Ｆ２間に設けられた座面間のふさぎ部５Ｇについて説明する。
【００２０】
Ｅ．座面間のふさぎ部５Ｇは、ふさぎ板５Ｇ１と、左方椅子側係止部５Ｇ２と、右方椅子側係止部５Ｇ３から構成されている。（図２０〜図２２参照）
ａ．ふさぎ板５Ｇ１は、平面前後に長い方形の基板５Ｇ１１と、左方係止用段部５Ｇ１２と、右方係止用段部５Ｇ１３から構成されている。
ｂ．左方椅子側係止部５Ｇ２は、テーブルセット群５における後方の椅子５Ａ３と前方の椅子５Ｃ２における右方辺の上面に、ふさぎ板５Ｇ１の左方係止用段部５Ｇ１２が係止するよう形成された段部として構成されている。
ｃ．右方椅子側係止部５Ｇ３は、テーブルセット群５における後方の椅子５Ｄ３と前方の椅子５Ｆ２における左方辺の上面に、ふさぎ板５Ｇ１の右方係止用段部５Ｇ１３が係止するよう形成された段部として構成されている。
【００２１】
第２発明は、第１発明のテーブル席用可動式間仕切り装置１を用いて下記の各工程から構成されているテーブル席用可動式間仕切り装置の使用方法である。
図１を参照する。
第１工程
左中央のテーブルセット５Ｂと右中央のテーブルセット５Ｅとの間に、中央間仕切り７と、前方間仕切り８と、後方間仕切り９を重ねた状態で収納する。
第２工程
重ねた状態の中央間仕切り７と前方間仕切り８と後方間仕切り９における係止用窓７Ｃ、８Ｃ、９Ｃに、連結固定板部１０における固定板本体１０Ａを挿入し、これら間仕切りを固定し、左前方のテーブルセット５Ａにおける後方の椅子５Ａ３と右前方のテーブルセット５Ｄにおける後方の椅子５Ｄ３の間に、座面間のふさぎ部５Ｇにおけるふさぎ板５Ｇ１を嵌込み固定し、左後方のテーブルセット５Ｃにおける前方の椅子５Ｃ２と右後方のテーブルセット５Ｆにおける前方の椅子５Ｆ２の間に、座面間のふさぎ部５Ｇにおけるふさぎ板５Ｇ１を嵌込み固定する。
【００２２】
第３発明は、第１発明のテーブル席用可動式間仕切り装置１を用いて下記の各工程から構成されているテーブル席用可動式間仕切り装置の使用方法である。
図５を参照する。
第１工程
左中央のテーブルセット５Ｂと右中央のテーブルセット５Ｅとの間に、中央間仕切り７を位置せしめ、左前方のテーブルセット５Ａと右前方のテーブルセット５Ｄとの間に、前方間仕切り８を位置せしめ、左後方のテーブルセット５Ｃと右後方のテーブルセット５Ｆとの間に、後方間仕切り９を位置せしめる。
第２工程
それぞれの係止用窓７Ｃ、８Ｃ、９Ｃに、各連結固定板部１０における固定板本体１０Ａを挿入し、各間仕切りを固定する。
【００２３】
【発明の効果】
本発明は、上述の通り構成されているので次に記載する効果を奏する。
１．来客数に対応した席を容易に作ることができる。
すなわち、左前方のテーブルセットと右前方のテーブルセットの間の前方間仕切り８と、左後方のテーブルセットと右後方のテーブルセットの間の後方間仕切り９が可動式であるため８名の来客の時、間仕切りを移動してすぐに８名席を用意できる。
２．４名ずつでテーブルセットを使うこともでき、顧客を待たせないですむ。
３．顧客の前で間仕切りを収縮あるいは伸張することで、客の数に対応する席数を用意することができる。
この結果、案内がすぐにできるので、顧客の待機時間が少ない。
４．待機時間が少ないので待合スペース自体もそれほどの空間を必要とせず、その分、他の空間として活用できる。
５．仕組みが単純なので壊れにくく、メンテナンスも行いやすい。
すなわち、間仕切り装置３は、比較的簡単な構造の間仕切り装置用スペース４Ａの上面に前後方向をもって敷設されたＶレール部６と、Ｖレール部の上面に前後方向をもって配設された中央間仕切り７と、前方間仕切り８と、後方間仕切り９と、中央、前方、後方の連結固定板部１０から構成されているから、簡単かつ確実な操作により中央間仕切り７、前方間仕切り８、後方間仕切り９の収縮あるいは伸張状態を形成することができる。
【００２４】
６．図４のように、中央間仕切り７に前方間仕切り８、後方間仕切り９を収縮した場合、これら間仕切りは一括して連結固定板部１０で確実に固定されることになると共に、座面間のふさぎ部５Ｇによって該当する椅子間の隙間をふさぐことができる。
この結果、左前方のテーブルセット５Ａと右前方のテーブルセット５Ｄを一体化し、また左後方のテーブルセット５Ｃと右後方のテーブルセット５Ｆを一体化することができる。
７．図５、６のように、中央間仕切り７の前後方向に前方間仕切り８、後方間仕切り９を伸張した場合、これら間仕切りは個々に連結固定板部１０で固定されることになる。
この結果、左前方のテーブルセット５Ａ、左中央のテーブルセット５Ｂ、左後方のテーブルセット５Ｃ、右前方のテーブルセット５Ｄ、右中央のテーブルセット５Ｅ、右後方のテーブルセット５Ｆを独立した状態で使用することができる。
勿論、前方間仕切り８と後方間仕切り９のうち、所望する一方のみを収縮あるいは伸張することができるのは当然である。
８．このほか、安価に製造できる、部品点数が少ないので組立が容易である、経済的である、などの効果をも有するものである。
【図面の簡単な説明】
【図１】間仕切り装置を収縮した状態の全体の配列を説明する略図的平面図である。
【図２】テーブル席部の状態を説明する略図的平面図である。
【図３】テーブルセット群の状態を説明する略図的平面図である。
【図４】同上の斜視図である。
【図５】間仕切り装置を伸張した状態の全体の配列を説明する略図的平面図である。
【図６】同上の斜視図である。
【図７】中央間仕切り、前方間仕切り、後方間仕切りの斜視図である。
【図８】中央間仕切り、前方間仕切り、後方間仕切りを反転させ１部を省略した要部拡大斜視図である。
【図９】Ａ−Ａ線における要部拡大端面図である。
【図１０】Ｂ−Ｂ線における要部拡大端面図である。
【図１１】Ｃ−Ｃ線における要部拡大端面図である。
【図１２】Ｄ−Ｄ線における要部拡大端面図である。
【図１３】連結固定板部の使用状態を説明する要部拡大断面図である。
【図１４】同上の分解斜視図である。
【図１５】連結固定板部の斜視図である。
【図１６】連結固定板部を反転させた状態の斜視図である。
【図１７】連結固定板部の使用方法を説明する要部拡大断面図である。
【図１８】座面間のふさぎ部の作用を説明する１部を省略した縦断面図である。
【図１９】椅子と座面間のふさぎ部の関係を示す分解斜視図である。
【図２０】座面間のふさぎ部の使用状態を示す分解縦断面図である。
【図２１】ふさぎ板と左方椅子側係止部と右方椅子側係止部の関係を説明する縦断面図である。
【図２２】ふさぎ板の下方から見た斜視図である。
【図２３】従来の一例を説明する略図的平面図である。
【符号の説明】
１  第１発明のテーブル席用可動式間仕切り装置
２  テーブル席部
３  間仕切り装置
４  テーブル用スペース群
５  テーブルセット群
６  Ｖレール部
７  中央間仕切り
８  前方間仕切り
９  後方間仕切り
【図１】
0003725061.tif 000002
【図２】
0003725061.tif 000003
【図３】
0003725061.tif 000004
【図４】
0003725061.tif 000005
【図５】
0003725061.tif 000006
【図６】
0003725061.tif 000007
【図７】
0003725061.tif 000008
【図８】
0003725061.tif 000009
【図９】
0003725061.tif 000010
【図１０】
0003725061.tif 000011
【図１１】
0003725061.tif 000012
【図１２】
0003725061.tif 000013
【図１３】
0003725061.tif 000014
【図１４】
0003725061.tif 000015
【図１５】
0003725061.tif 000016
【図１６】
0003725061.tif 000017
【図１７】
0003725061.tif 000018
【図１８】
0003725061.tif 000019
【図１９】
0003725061.tif 000020
【図２０】
0003725061.tif 000021
【図２１】
0003725061.tif 000022
【図２２】
0003725061.tif 000023
【図２３】
0003725061.tif 000024